(57)【特許請求の範囲】
【請求項１】
それぞれの先端側を挟持片部とし、後端側を開操作片部として相互を略中央部位置にて回動自在に連結する支軸にばね材を介装させて前記挟持片部相互を常閉方向へと付勢して一体的に対向配置される絶縁性樹脂材からなる上側クリップ片と下側クリップ片とからなり、静電誘導により電荷を検知する検知子を少なくとも一方の前記挟持片部内に内蔵させ、かつ、該検知子にその一端部を接続させたコードを外部に引き出してなるクリップにおいて、
活電体に前記挟持片部相互で挟持させた際に、その下方に位置する他の活電体と向き合う前記下側クリップ片の対面部位側には、該活電体に当接支持させてその開操作片部側を前記活電体側から引き離すべく前記下側クリップ片側に対し着脱自在に配置される絶縁性のアタッチメントを具備させたことを特徴とするクリップ。
【請求項２】
前記アタッチメントは、左右一対の側板部とこれら両側板部に架け渡されて前記活電体に当接支持される底板部とからなり、各側板部の内側面には、前記下側クリップ片の両外側面の長さ方向に刻入された溝部への部分的な嵌着が自在な突起を備える請求項１に記載のクリップ。
【請求項３】
前記アタッチメントは、前記突起を前記下側クリップ片の前記溝部に嵌着させた際に、下側クリップ片の前記対面部位の下支えが可能な支柱部をその内側面に備える請求項２に記載のクリップ。
【請求項４】
前記底板部は、前記下側クリップ片に嵌着させた際にその挟持片部方向に向けて前傾する傾斜面を備える請求項２または３に記載のクリップ。
【請求項５】
前記底板部は、前記下側クリップ片に嵌着させた際に前記対面部位と略平行に位置する平坦面を備える請求項２または３に記載のクリップ。
【請求項６】
上側クリップ片の前記挟持片部は、前記活電体のいずれかに掛止させるべくその先端側に下側クリップ片の前記挟持片部方向に向けて突出させた掛止突起を備える請求項１ないし５のいずれかに記載のクリップ。
【発明の詳細な説明】
【技術分野】
【０００１】
本発明は、配電盤内のブスバーなどのように、上下方向に配列された複数の活電体のひとつに挟持させて必要なデータを得ようとする際に好適に用いることができるクリップに関する技術である。
【背景技術】
【０００２】
測定現場に持ち込んで電気的な測定作業を行う際に用いられる現場測定器のなかには、帯電体としての交流電路から静電誘導により電荷を検出するためのセンサ電極を検知子として備える検相器や検電器などの静電誘導検出器がある。
【０００３】
そして、この種の静電誘導検出器は、通常、検査対象である帯電体としての交流電路が配電盤内で上下方向に配列されているブスバーなどのような活電体であれば、そのうちのいずれかひとつの活電体に、例えば特許文献１の図３に示されているような構造を備えるクリップを挟持させた状態のもとで、必要なデータを取り込むことができるようになっている。
【先行技術文献】
【特許文献】
【０００４】
【特許文献１】特開２００６−３０１４１号公報
【０００５】
図５は、特許文献１の図３に示されているクリップを再掲したものであり、上側クリップ片２と下側クリップ片４とは、ねじりコイルばね８を介装させた支軸９を介することで、帯電体としての交流電路を保持するために開閉される各湾曲保持部３，５が常閉状態となって一体的に軸支されおり、各湾曲保持部３，５の内側に導電層７からなる検知子６を具備させてクリップ１の全体が構成されている。すなわち、クリップ１は、検知子の外側を絶縁性の合成樹脂ケースで囲い込むようにして覆った鰐口形状を呈する非接触タイプの構造を備えてその全体が形成されている。
【０００６】
この場合、上記クリップ１は、各湾曲保持部３，５側が常閉状態となるように付勢するねじりコイルばね８を内蔵しているため、開操作しながらあるひとつの活電体側に各湾曲保持部３，５を送り込んだ上で、開操作を解消することで活電体に各湾曲保持部３，５側を挟持させておくことができることになる。
【発明の概要】
【発明が解決しようとする課題】
【０００７】
しかし、特許文献１に示されているクリップ１を用いる場合、上方に位置するある活電体に上下一対の湾曲保持部３，５を挟持させた際には、その引出しコードを含むクリップ１側の重量により開操作するための基端側が急傾斜状態となって引き下げられてしまうことになる。
【０００８】
その結果、開操作するための基端側は、下方に位置する他の活電体との間に十分な安全スペースを確保することができなくなり、開操作してクリップ１を活電体側から外そうとする際に該活電体に手指を接触させてしまう可能性をそれだけ高めてしまうという不都合があった。
【０００９】
本発明は、上記した従来技術の課題に鑑み、クリップ側にアタッチメントを具備させることで、開操作片部を開操作してクリップを活電体側から外そうとする際に該活電体との間に十分な安全スペースを確保することができるようにしたクリップを提供することを目的とする。
【課題を解決するための手段】
【００１０】
本発明は、上記目的を達成すべくなされたものであり、それぞれの先端側を挟持片部とし、後端側を開操作片部として相互を略中央部位置にて回動自在に連結する支軸にばね材を介装させて前記挟持片部相互を常閉方向へと付勢して一体的に対向配置される絶縁性樹脂材からなる上側クリップ片と下側クリップ片とからなり、静電誘導により電荷を検知する検知子を少なくとも一方の前記挟持片部内に内蔵させ、かつ、該検知子にその一端部を接続させたコードを外部に引き出してなるクリップにおいて、活電体に前記挟持片部相互で挟持させた際に、その下方に位置する他の活電体と向き合う前記下側クリップ片の対面部位側には、該活電体に当接支持させてその開操作片部側を前記活電体側から引き離すべく前記下側クリップ片側に対し着脱自在に配置される絶縁性のアタッチメントを具備させたことを最も主要な特徴とする。
【００１１】
この場合、前記アタッチメントは、左右一対の側板部とこれら両側板部に架け渡されて前記活電体に当接支持される底板部とからなり、各側板部の内側面には、前記下側クリップ片の両外側面の長さ方向に刻入された溝部への部分的な嵌着が自在な突起を具備させて形成するのが好ましい。また、前記アタッチメントには、前記突起を前記下側クリップ片の前記溝部に嵌着させた際に、下側クリップ片の前記対面部位の下支えが可能な支柱部をその内側面に具備させることもできる。
【００１２】
また、前記底板部は、前記下側クリップ片に嵌着させた際にその挟持片部方向に向けて前傾する傾斜面を備えるものが好ましいが、前記下側クリップ片に嵌着させた際に前記対面部位と略平行に位置する平坦面を備えるものであってもよい。
【００１３】
【００１４】
また、上側クリップ片の前記挟持片部には、前記活電体のいずいれかに掛止させるべくその先端側に下側クリップ片の前記挟持片部方向に向けて突出させた掛止突起を具備させておくのが望ましい。
【発明の効果】
【００１５】
請求項１の発明によれば、下側クリップ片は、該下側クリップ片側に対し着脱自在に配置されて開操作片部側を活電体側から引き離す絶縁性のアタッチメントを備えているので、活電体に挟持させた際にアタッチメントを含めて３点で安定的に支持させることができ、さらには、該アタッチメントを介して安全スペースを確保することができるので、作業の安全性をそれだけ高めることができる。
【００１６】
また、請求項１の発明によれば、安全スペースを確保する必要がない作業現場においてはアタッチメントを外して測定作業を行うことができるほか、種々の異なるタイプのアタッチメントを用意することで、現場の作業環境により好適なアタッチメントを選択的に使用することができる。
【００１７】
請求項２の発明によれば、アタッチメントは、下側クリップ片の両外側面の長さ方向に刻入された溝部への部分的な嵌着が自在な突起を備えているので、嵌着位置を左右方向に調整することで、活電体の位置を含む現場環境により好適に対応させることができる。
【００１８】
請求項３の発明によれば、アタッチメントは、下側クリップ片の対面部位の下支えが可能な支柱部を備えているので、該支柱部で下側クリップ片側を下支えすることでその嵌着状態をより安定したものとすることができる。
【００１９】
請求項４の発明によれば、アタッチメントは、その底板部を下側クリップ片に嵌着させた際にその挟持片部方向に向けて前傾する傾斜面となるようにして形成されているので、該傾斜面に対する活電体の当接位置を調整することでより広い安全スペースを確保することができる。
【００２０】
請求項５の発明によれば、アタッチメントは、その底板部が下側クリップ片に嵌着させた際に前記対面部位と略平行に位置する平坦面となるように形成されているので、それだけ全体構成をより簡略化することができる。
【００２１】
【００２２】
請求項６の発明によれば、上側クリップ片の挟持片部は、その先端側に下側クリップ片の前記挟持片部方向に向けて突出させた掛止突起を備えているので、該掛止突起を活電体に掛止させることで、挟持状態をより安定したものとすることができる。
【図面の簡単な説明】
【００２３】
【図１】本発明の一例を活電体に挟持させた状態で示す側面図。
【図２】図１におけるアタッチメントの具体的な形状を示す説明図であり、そのうちの（ａ）は全体斜視図を、（ｂ）はその平面図を、（ｃ）は嵌着時における側面図をそれぞれ示す。
【図３】図１に示す例におけるクリップとアタッチメントとの関係を示す説明図であり、そのうちの（ａ）はアタッチメントを外した状態での側面図を、（ｂ）はアタッチメントの第１取付け状態を、（ｃ）はアタッチメントの第２取付け状態を（ｄ）はアタッチメントの第３取付け状態をそれぞれ側面図として示す。
【図４】アタッチメントの他例を示す全体斜視図。
【図５】特許文献１の図３に示されている半割り状態のクリップを再掲した説明図。
【発明を実施するための形態】
【００２４】
以下、図面を参照して本発明の実施形態を具体的に説明する。まず、図１に示す例によれば、本発明は、それぞれの先端側を挟持片部１３，２３とし、後端側を開操作片部１５，２５として相互を略中央部位置にて回動自在に連結する支軸５５に図示しないばね材を介装させて挟持片部１３，２３相互を常閉方向へと付勢して一体的に対向配置される絶縁性樹脂材からなる上側クリップ片１２と下側クリップ片２２とで構成されている。
【００２５】
また、上側クリップ片１２と下側クリップ片２２とは、静電誘導により電荷を検知する検知子（図示せず）を各挟持片部１３，２３内に、もしくはいずれか一方の側に内蔵させ、かつ、該検知子にその一端部を接続させたコード５８を外部に引き出しすことでクリップ１１の全体が形成されている。なお、図中の符号２１，３１は、手指が挟持片部１３，２３側に位置するのを阻止する障壁部を示す。
【００２６】
この場合、上側クリップ片１２と下側クリップ片２２とは、いずれも縦方向に二つ割りされて形成されており、それぞれを対面合致させて一体化した際に内部に図示しない空間部を確保することができるようにして形成されている。
【００２７】
また、上側クリップ片１２は、障壁部２１の前側近傍位置である略中央部に位置する両側面に対向配置された軸支孔１６を備えているほか、挟持片部１３において下側クリップ片２２の挟持片部２３との対向面１３ａであるやや凹陥された面に鋸歯状に列設された歯部１４と、開操作片部１５における手指接触面側に設けられた複数列の段部１７とを備えて形成されている。
【００２８】
下側クリップ片２２は、その略中央部に位置する両側面に対向配置された一対の軸受け部２６を備えている。そして、各軸受け部２６は、上側クリップ片１２と組み合わされた際にその軸支孔１６と対面する位置に設けられた図示しない通孔を備えている。また、一対の軸受け部２６相互間の前面側は、遮蔽部２６ａで覆われている。
【００２９】
また、下側クリップ片２２は、その挟持片部２３において上側クリップ片１２の挟持片部１３との対向面２３ａであるやや凹陥された面に鋸歯状に列設された歯部２４と、開操作片部２５における手指接触面側に設けられた複数列の段部２７とを備えて形成されている。
【００３０】
ばね材としてのねじりコイルばねは、図示は省略されているが、図５に示すねじりコイルばね８と同様に、支軸５５が挿通されるコイル状部と、該コイル状部の一方端側から引き出されて上側クリップ片１２側に掛止される一側掛止腕部と、同じくコイル部の他方端側から引き出されて下側クリップ片２２側に掛止される他側掛止腕部とを備えて形成されている。
【００３１】
このため、上側クリップ片１２と下側クリップ片２２とは、挟持片部１３，２３相互が常閉方向へと付勢された状態のもとで支軸５５を介して一体的に組み合わせることでクリップ１１として用いることができることになる。
【００３２】
しかも、このような構成からなるクリップ１１は、上側クリップ片１２における挟持片部１３の先端側に、図１に示すように下側クリップ片２２方向に向け例えば左右一対となって突設された掛止突起１８を備えている。
【００３３】
また、下側クリップ片２２は、その閉止時に掛止突起１８相互間に位置させるべく突設された前歯部２８と、閉止時に掛止突起１８を受け入れるための凹部２９とを挟持片部２３の先端側に備えている。
【００３４】
このため、クリップ１１は、所定間隔をおいて上下方向に配列された複数本の活電体６１のいずれか、図１に示す例では最上段に位置する活電体６１の上端縁６１ａに上側クリップ片１２の挟持片部１３が備える掛止突起１８を、下端縁６１ｂ側に下側クリップ片２２の挟持片部２３が備える歯部２４をそれぞれ掛止させることで、該活電体６１に対し挟持させることができることになる。
【００３５】
しかも、下側クリップ片２２は、活電体６１に挟持させた際にその下方に位置する他の活電体、図１に示す例では中段に位置する活電体６１と向き合う対面部位３２側に該活電体６１に当接支持させてその開操作片部２３側を活電体６１側から引き離す絶縁性のアタッチメント４２を備えている。
【００３６】
図２は、アタッチメント４２の具体例を示す説明図であり、この例におけるアタッチメント４２は、左右一対の側板部４３，４４とこれら両側板部４３，４４相互間に架け渡されて活電体６１に当接支持される底板部４５とで形成されている。
【００３７】
また、アタッチメント４２は、下側クリップ片２２の両外側面の長さ方向に刻入された適宜長さの溝部３０への部分的な嵌着が自在な突起４６を各側板部４３，４４の内側面に備えている。すなわち、図２（ａ），（ｂ）によれば、各側板部４３，４４の内側上端縁４３ａ，４４ａの略中央部位には、その長さ方向に沿わせて各一条の突起４６が突設されている。
【００３８】
さらに、アタッチメント４２は、突起４６を下側クリップ片２２の各溝部３０に嵌着させた際に、下側クリップ片２２の対面部位３２の下支えが可能な支柱部４７をその内側面に備えている。具体的には、各突起４６の後端位置の下方には、底板部４５の内側面から各側板部４３，４４の内側面の略中間高さへと至る支柱部４７が各別に一体形成されており、アタッチメント１１を下側クリップ片２２に嵌着させた際にその対面部位３２を支柱部４７で下支えできるようになっている。
【００３９】
図４は、下側クリップ片２２側に対し着脱自在に配置されるアタッチメント４２の他例を示す説明図であり、この例におけるアタッチメント４２は、矩形形状を呈する左右一対の側板部４３，４４とこれら両側板部４３，４４に架け渡されて活電体６１に当接支持される底板部４５とで略コ字形に形成されている。なお、図２に示す例とは、下側クリップ片２２側に嵌着した際に底板部４５に傾斜を与えられない点で相違しており、このため支柱部４７の各側板部４３，４４の高さに占める高さの割合もやや多いものとなっている。
【００４０】
【００４１】
【００４２】
次に、本発明の作用・効果を図１に示す第１の例について説明すれば、クリップ１１の不使用時には、一側クリップ片１２と他側クリップ片２２とがねじりコイルばねなどのバネ材により付勢されて、挟持片部１３，２３相互が閉止された状態となっている。
【００４３】
使用に際しては、開操作片部１５，２５をバネ材の付勢力に抗して押し下げながら活電体６１側に開状態にある挟持片部１３，２３を送り込んだ上で、押下げ力を解消することで、図１に示すように上側クリップ片１２の挟持片部１３が備える掛止突起１８を活電体６１の上端縁６１ａに、下側クリップ片２２の挟持片部２３が備える歯部２４を下端縁６１ｂにそれぞれ掛止させた状態のもとで活電体６１に挟持させることができる。
【００４４】
このとき、クリップ１１は、開操作片部２５側から引き出されているコード５８を含むクリップ１側の重量により、開操作片部２５が図１にＡとして示す方向に急傾斜状態となって引き下げられる結果、下方に位置する活電体６１、図示例では最下段に位置する活電体６１側に開操作片部２５が接近してしまうことになる。
【００４５】
しかし、この場合、下側クリップ片２２には、下方に位置する他の活電体、図１に示す例では中段に位置する活電体６１と向き合う対面部位３２側に該活電体６１に当接支持させてその開操作片部２３側を活電体６１側から引き離す絶縁性のアタッチメント４２が図３（ａ）から図３（ｂ）へと至る手順を踏んで嵌着されているので、該アタッチメント４２における底板部４５を活電体６１に当接支持させてその開操作片部２３側を活電体５１側から引き離して、図１において円形破線囲繞部として示す安全スペースを確保することができる。
【００４６】
したがって、作業者は、測定作業を終えた後に開操作片部１５，２５を開操作してクリップ１１を活電体６１側から安全裡に外すことができることになる。この場合、アタッチメント４２は、下側クリップ片２２に設けられている溝部３０の位置との関係で例えば図３（ｂ）〜（ｄ）に示すような嵌着パターンのもとでアタッチメント４２を嵌着させることで、安全スペースを可変にして確保することができる。なお、アタッチメント４２は、図４に示すものを用いても、安全スペースを確保することができる。
【００４７】
しかも、図示例によれば、アタッチメント４２は、支柱部４７も備えているので、下側クリップ片２２に嵌着させた際に該支柱部４７で下側クリップ片２２の対面部位３２側をした支えさせることができるので、その嵌着状態をより安定させたものにして作業を継続することができる。
【００４８】
【００４９】
【００５０】
以上は、本発明を図示例に即して説明したものであり、その具体的な実施形態はこれに限定されるものではない。例えば、上側クリップ片部１２は、挟持片部の１３先端側に掛止突起１８を備えていないものであってもよい。また、アタッチメント４２は、突起４６のみを備え、支柱部４７を備えないものであってもよい。さらに、アタッチメント４２は、突起４６を溝部３０に嵌着させる代わりに、両面テープ、粘着性ゲルシートなどのように再貼付可能な接着層や粘着層を介在させて下側クリップ片２２に着脱自在に取り付けるようにしてもよい。
【符号の説明】
【００５１】
１１  クリップ
１２  上側クリップ片
１３  挟持片部
１３ａ  対向面
１４  歯部
１５  開操作片部
１６  軸支孔
１７  段部
１８  掛止突起
２１  障壁部
２２  下側クリップ片
２３  挟持片部
２３ａ  対向面
２４  歯部
２５  開操作片部
２６  軸受け部
２６ａ  遮蔽部
２７  段部
２８  前歯部
２９  凹部
３０  溝部
３１  障壁部
３２  対面部位
４２  アタッチメント
４３，４４  側板部
４３ａ，４４ａ  内側面
４５  底板部
４６  突起
４７  支柱部
５５  支軸
５８  コード
６１  活電体
６１ａ  上端縁
６１ａ  下端縁
【図１】
0006018805.tif 000002
【図２】
0006018805.tif 000003
【図３】
0006018805.tif 000004
【図４】
0006018805.tif 000005
【図５】
0006018805.tif 000006